(57)【要約】【課題】会議支援機能のための紙ベースの会議サービス管理ツールを提供すること。【解決手段】本発明は、会議支援機能のための紙ベースの会議サービス管理ツールを提供する。紙ベースのツールは、ストロークを生成するために使用されることが可能なデジタルペンを含み、このストロークは、デジタルペンから、会議支援機能を提供するサービスに送信されることが可能である。紙ベースのツールは、下層に画像パターンを有するデジタルペーパーをさらに含む。デジタルペンは、下層にあるドットパターンを認識し、その位置情報を、Ｂｌｕｅｔｏｏｔｈ接続を介してコンピュータに送信することによって、デジタルペーパーの上における自身の位置を定めることが可能である。【選択図】図３
2008217782.tif 000002
【特許請求の範囲】
【請求項１】
下層に画像パターンを有し、フリーフォーム描画パッドと、会議場所適合部分と、ユーザ適合部分とを含むデジタルペーパーと、
前記デジタルペーパー上でストロークを生成するために使用されることが可能であって、会議支援機能を提供するサービスに前記ストロークを送信するデジタルペンと、
を含む紙ベースの会議サービス管理ツール。
【請求項２】
前記ストロークが、前記会議場所適合部分内で開始され、かつ、終了する場合、前記ストロークがコマンドに翻訳される請求項１に記載の紙ベースの会議サービス管理ツール。
【請求項３】
ユーザが、前記デジタルペーパーの前記会議場所適合部分において、デジタルペンによるジェスチャを実施することによって、会議場所内の機器間の情報フローを制御する請求項１に記載の紙ベースの会議サービス管理ツール。
【請求項４】
前記デジタルペーパーの前記フリーフォーム描画パッドは、複数の仮想パブリック描画層及び仮想プライベート描画層を形成することが可能である請求項１に記載の紙ベースの会議サービス管理ツール。
【請求項５】
前記フリーフォーム描画パッドは、前記ユーザが、閉曲線で囲んだ機能名を書き込むことによって動的ボタンを作成することを可能にする請求項１に記載の紙ベースの会議サービス管理ツール。
【請求項６】
前記ユーザ適合部分に使用可能な機能が、前記デジタルペーパーの裏側に備えられた請求項５に記載の紙ベースの会議サービス管理ツール。
【請求項７】
前記会議場所適合部分の各ディスプレイの画像に、パレットが埋め込まれた請求項１に記載の紙ベースの会議サービス管理ツール。
【請求項８】
前記フリーフォーム描画パッド上および各パブリックディスプレイ上の下層にある描画グリッドが、ポインティング、描画、及び注釈を支援するために使用される請求項１に記載の紙ベースの会議サービス管理ツール。
【請求項９】
前記デジタルペン及び前記デジタルペーパーは、会議の参加者を認証することができる請求項１に記載の紙ベースの会議サービス管理ツール。
【請求項１０】
前記会議支援機能を提供するサービスは、
前記デジタルペンからのストロークを読み取るペンサービスと、
前記ストロークを解析し、翻訳する翻訳サービスと、
前記フリーフォーム描画パッドのパブリック描画を表示するホワイトボードサービスと、
特定のスクリーンとコンピュータとの接続を形成する切り替えサービスとを含む請求項１に記載の紙ベースの会議サービス管理ツール。
【請求項１１】
前記会議支援機能を提供するサービスは、
スライドショーを制御するプレゼンテーションサービスと、
印刷制御を行う印刷サービスとを更に含む請求項１０に記載の紙ベースの会議サービス管理ツール。
【請求項１２】
前記デジタルペンは、ポインタモードと可視ストロークモードとの間のモード遷移のための、圧力で作動する切り替え機能を有する請求項１０に記載の紙ベースの会議サービス管理ツール。
【請求項１３】
前記デジタルペンは、前記デジタルペーパーの画像パターンを認識して、前記デジタルペーパー上の前記デジタルペンの位置を定め、前記デジタルペンの位置及び移動経路を、前記ストロークとして前記会議支援機能を提供するサービスに送信する請求項１〜請求項１２の何れか１項に記載の紙ベースの会議サービス管理ツール。
【請求項１４】
下層に画像パターンを有し、フリーフォーム描画パッド、会議場所適合部分、及びユーザ適合部分を含むデジタルペーパーと、
会議支援機能を提供するサービスと、
前記デジタルペーパー上でストロークを生成するために使用されることが可能であって、前記会議支援機能を提供するサービスに前記ストロークを送信するデジタルペンと、
を含むシステム。
【請求項１５】
前記会議支援機能を提供するサービスは、
Ｂｌｕｅｔｏｏｔｈ接続を介して、前記デジタルペンから送信されたストロークを読み取るペンサービスと、
前記ストロークを解析してストロークコマンドを識別することにより、前記ストロークを解析し、翻訳する翻訳サービスと、
フリーフォーム描画パッドのパブリック描画を表示するホワイトボードサービスと、
特定のスクリーンとコンピュータとの接続を形成する切り替えサービスと、
スライドショーを制御するプレゼンテーションサービスと、
印刷制御を行う印刷サービスと、
を含む請求項１４に記載のシステム。
【請求項１６】
ユーザが、前記デジタルペーパーの前記会議場所適合部分において、デジタルペンによるジェスチャを実施することによって、会議場所内の機器間の情報フローを制御する請求項１５に記載のシステム。
【請求項１７】
前記デジタルペンは、ポインタモードと可視ストロークモードとの間のモード遷移のための、圧力で作動する切り替え機能を有する請求項１６に記載のシステム。
【発明の詳細な説明】
【技術分野】
【０００１】
本発明は、会議支援統合システム、ならびに、デジタルペンおよびデジタルペーパーのシステムに関する。即ち、紙ベースの会議サービス管理ツール、及びシステムに関する。
【背景技術】
【０００２】
今日の急速に発展するテクノロジーは、会議支援システムについての課題を提起している。一方で、会議に、ますます多くのツールが取り込まれている。通常の会議で使用される道具としては、ペン、紙の冊子、プロジェクタ、テレビ、ＶＨＳ／ＤＶＤプレーヤ、時計、プリンタ、照明スイッチ、ホワイトボード、スマートボード、ラップトップ、タブレット、ＰＤＡ、プレゼンテーションコントローラ、参考文献、計算器、カメラ、ポインタ、レーザポインタ、リモコン、さらには携帯電話などがある。もう一方では、会議参加者は、そのように多くの会議支援機能を学習したり、思い出したりするのが困難である。さらに、ある支援機能から別の支援機能に切り替えるのは面倒である。
【０００３】
過去には、会議支援のための統合支援システムを開発することによって、この問題に対処する試みが複数行われてきたが、どの統合会議支援システムも、この問題を解決していない。試みられた解決策のいくつかでは、会議支援のインターフェースを提供するために、タブレットＰＣ、ラップトップ、またはデスクトップＰＣを使用していたが、導入するのにコストがかさみ、また、日常の会議のために持ち歩くことが不便であった。さらに、セキュリティ上の懸念から、自分のＰＣに制御インターフェースをインストールするのを控える会議参加者もいた。
【０００４】
ペンベースの会議支援システムは、１９９０年代初めまでさかのぼるが、積極的な書き込みが可能なディスプレイ（例えば、タブレットＰＣやＰＤＡ）を搭載する機器は、導入コストが高くなる可能性がある。さらに、そのような機器は、ユーザ間で回覧するには大きすぎ、ユーザ間で機器上のスケッチやメモを共有することが妨げられる。
【０００５】
最も歴史が長く、最も使いやすい媒体である紙は、長きにわたって会議やオフィスに入り込んでいる。紙をデジタル機器とリンクさせようとする研究プロジェクトがいくつか行われてきた。あるプロジェクトでは、紙の上のバーコードを使用することにより、スライドショーを制御することを可能にした。別のプロジェクトは、メモ取りと、紙で案内されるオーディオ再生とを実現した。しかしながら、会議支援に関しては、それらのシステムは、会議中のマルチメディア制御ではなく、会議後に参加者に配布されるマルチメディアの議事録を対象としている。
【非特許文献１】ANOTO, INC., Anoto Functionality, [online]、[平成１９年２月２８日検索]、インターネット＜URL:http://www.anotofunctionality. com/cldoc/aof3.htm＞
【非特許文献２】CHIU, P., et al., "Notelook: Taking Notes in Meetings with Digital Video and Ink," Proceedings of ACM Multimedia '99, pp. 149-158.
【非特許文献３】CHIU, P., et al., "Automatically Linking Multimedia Meeting Documents by Image Matching," Proceedings of Hypertext 2000, pp. 244-245.
【非特許文献４】PARC, "DataGlyphsR: Embedding Digital Data," [online]、[平成２０年２月１８日検索]、インターネット＜URL:htttp://www.parc.com/research/projects/dataglyphs/＞
【非特許文献５】DAVIS, R., et al., "NotePals: Lightweight Note Sharing by the Group, for the Group, " Proceedings of the SIGCHI Conference on Human Factors in Computing Systems: the CHI is the Limit,, May 15-20, 1999, pp. 338-345.
【非特許文献６】DENOUE, L., et al ., "Shared Text Input for Note Taking on Handheld Devices, "CHI '02 Extended Abstracts, pp. 794-795.
【非特許文献７】HECHT, D., "Printed Embedded Data Graphical User Interfaces," IEEE Computer, 34, 3, 47-55, March, 2001.
【非特許文献８】LOGITECH, INC., "Logitech(R) io 2 Digital Writing System," [online]、[平成２０年２月１８日検索]、インターネット＜URL:http://www.logitech.com/index.cfm/products/features/digitalwriting/US/EN,crid=1545＞
【非特許文献９】MICROSOFT, Microsoft Press Pass, "Digital Ink, Breakthrough Technology in Tablet PC, Brings the Power of the Pen to the Desktop," [online]、[平成２０年２月１８日検索]、インターネット＜URL:http://www.microsoft.com/presspass/features/2002/oct02/10-29tabletinking.mspx＞
【非特許文献１０】MORAN, T., et al., "Design and Technology for Collaborage: Collaborative Collages of Information on Physical Walls, " Proc. UIST '99, pp. 197-206.
【非特許文献１１】MORAN, T., et al., "Implicit Structures for Pen-Based Systems Within a Freeform Interaction Paradigm, " Proceedings of CHI '95, pp. 1-10.
【非特許文献１２】NELSON, L, et al., "Palette: A Paper Interface for Giving Presentations," Proceedings of the SIGCHI Conference on Human Factors in Computing Systems (CHI '99), ACM Press, May 1999, pp. 354-361.
【非特許文献１３】RUBINE, D., "Specifying Gestures by Example, " Computer Graphics, Vol.25, No.4, July 1991,pp. 329-337
【非特許文献１４】SAUND, E., et al., "Stylus Input and Editing Without Prior Selection of Mode," Proceedings of the 16th Annual ACM Symposium on User Interface Software and Technology, Nov. 2-5, 2003.
【非特許文献１５】STIFELMAN, L., et al., "The Audio Notebook: Paper and Pen Interaction with Structured Speech," Proceedings of the SIGCHI Conference on Human Factors in Computing Systems, CHI 2001, Vol. 3, No. 1, March 31-April 4, 2001, pp. 182-189.
【非特許文献１６】TRUONG, K. N., et al., "StuPad: Integrating Student Notes with Class Lectures, " CHI '99, Extended Abstracts, May 15-20, 1999, pp. 208-209.
【非特許文献１７】WILCOX, L., et al., "Dynomite: a Dynamically Organized Ink and Audio Notebook," Proceedings of the SIGCHI Conference on Human Factors in Computing System, March 22-27, 1997, pp. 186-193.
【非特許文献１８】WOLF, C., et al., "Communication and Information Retrieval with a Pen-based Meeting Support Tool," Proceedings of the 1992 ACM Conference on Computer-Supported Cooperative Work, CSCW '92, Nov. 1-4, 1992, pp. 322-329.
【発明の開示】
【課題を解決するための手段】
【０００６】
本発明は、前述の状況を鑑みてなされており、会議支援機能のためのデジタルペンおよびデジタルペーパーのツールを提供する。この紙ベースのツールを使用することにより、会議参加者は、メモを取る紙と同じ紙の上で会議支援機器を制御することが可能である。さらに、会議参加者が、選択されたパブリックディスプレイ上で紙の描画を共有したり、紙のページを使用して、選択されたパブリックディスプレイ上で協同して討論を始めたりすることが可能である。
【０００７】
デジタルペーパーは、下層に画像パターンを有し、フリーフォーム描画パッドと、会議場所適合部分と、ユーザ適合部分とを含んでいる。デジタルペンは、下層にあるドットパターンを認識し、その位置情報を、Ｂｌｕｅｔｏｏｔｈ接続を介してコンピュータに送信することによって、紙の上における自身の位置を定めることが可能である。次に、ペンの位置およびタイムスタンプされたペンの移動経路が、特定の会議サービスに対応するコマンドにマッピングされる。さらに、デジタルペンは、ポインタモードと可視ストロークモードとの間のモード遷移のための、圧力で作動する切り替え機能を有する。
【０００８】
本発明の好ましい実施形態を、添付図面に基づき、詳細に説明する。
【発明を実施するための最良の形態】
【０００９】
会議支援タスク向けに開発されるツールはますます多くなっており、期待どおりの結果を得るためにこれらのツールを正確に使うことは、多くの会議参加者にとってあまりに複雑な作業である。こうした問題に対処すべく、本発明の実施形態は、デジタルペンおよびデジタルペーパーをベースとするインターフェースを使用して、種々のサービスの開始を容易にする。この紙ベースのツールを使用することにより、会議参加者は、メモを取る紙と同じ紙の上で会議支援機器を制御することが可能である。さらに、会議参加者が、選択されたパブリックディスプレイ上で紙の描画を共有したり、紙のページを使用して、選択されたパブリックディスプレイ上で討論を始めたりすることが可能である。タブレットＰＣやＰＤＡをベースとするインターフェースのような従来型のインターフェースと比較して、デジタルペンを使用する紙ベースのツールのインターフェースは、非常に高い解像度を有し、非常に安価で導入するのが容易である。
【００１０】
紙ベースのインターフェースは、下層に画像パターンを有し、また、３つの機能部分を有する。これら３つの機能部分は、フリーフォーム描画パッド、会議場所適合部分（ｍｅｅｔｉｎｇ  ｓｐａｃｅ  ａｄａｐｔａｔｉｏｎ  ｐｏｒｔｉｏｎ）、およびユーザ適合部分（ｕｓｅｒ  ａｄａｐｔａｔｉｏｎ  ｐｏｒｔｉｏｎ）である。デジタルペンは、下層にあるドットパターンを認識して、紙の上における自身の位置を定めることができ、また、その位置情報を、Ｂｌｕｅｔｏｏｔｈ接続を介してコンピュータに送信することができる。次に、ペンの位置およびタイムスタンプされたペンの移動経路が、特定の会議サービスに対応するコマンドにマッピングされる。
【００１１】
この紙ベースのツールは、多種多様な会議支援機器が設けられた企業の会議室で使用されることを企図している。発表者は、紙とデジタルペンとを使用して、プレゼンテーションの進行を制御することを含めて、会議支援機器を起動および制御することが可能である。会議参加者は、どのパブリックディスプレイの上でも、ホワイトボードを起動して走り書きをすることが可能である。ユーザらは、それぞれのデジタルペーパーの上の任意の場所をポイントしたり、そこに書き込みをしたりして、グループ討論のためのスクリーンを共有することが可能である。ユーザらはさらに、デジタルペンとデジタルペーパーとを使用して、その場でのスクリーンのプリントアウトを開始することが可能である。
【００１２】
本発明の実施形態では、デジタルペンとデジタルペーパーとを使用して、会議支援システムを制御する。デジタルペンおよびデジタルペーパーは、ボタン、タイムスタンプされた描画に基づく制御、走り書き、及び動的ボタン（ユーザが紙の上で描画して定義できる、新しいタイプの対話）を支援する。会議支援システムを制御するために、ユーザによって行われるペンストローク（ｐｅｎ  ｓｔｒｏｋｅ）は、コマンドに翻訳される。この翻訳は、会議支援機能を提供するサービスによって行われる。会議支援機能を提供するサービスは、ホワイトボードスケッチ、ポインティング、プレゼンテーション制御、プリンタの使用及び制御、スクリーン切り替え、並びに手書き認識を含むことが可能である。
【００１３】
紙のインターフェースは、下層にある画像パターンと３つの機能部分とを有するデジタルペーパーから作成される。これら３つの機能部分は、フリーフォーム描画パッド、会議場所適合部分、およびユーザ適合部分である。デジタルペンは、下層にあるドットパターンを認識し、紙の上における自身の位置を定めることが可能であり、その位置情報を、Ｂｌｕｅｔｏｏｔｈ接続（または代替の通信機能）を介してコンピュータに送信することができる。次に、ペンの位置およびタイムスタンプされたペンの移動経路が、３つの機能部分のいずれに係わるストロークなのかの解析とともに、特定の会議サービスに対応するコマンドにマッピングされる。
【００１４】
図１Ａは、関連技術のデジタルペン１０２を示し、デジタルペン１０２は、ペンのデジタルカメラ１０４により、紙１０６の上での自身の位置を定める。この関連技術のデジタルペーパーに印刷されたパターンは小さすぎて見えないが、図１Ｂは、そのパターン１０８が見えるとすればどのように見えるかを示している。このパターンは紙１０６上の座標を表す情報がコード化されて形成されたパターンであり、ペン１０２を紙１０６に近づけポイントする、文字を書くといった動作の時に、ペン１０２のデジタルカメラ１０４の視野内に含まれるパターン１０８が読み込まれ、ペン先の座標が特定される。ペン先の座標を時間と対応付けて記憶することでタイムスタンプがなされる。デジタルペン１０２は、インクを使用し、普通のボールペンとまったく同じように使用されることが可能であるが、さらに、デジタルカメラ１０４と、（紙に印刷されたパターンを読み取るための）高度な画像処理システムと、無線Ｂｌｕｅｔｏｏｔｈ接続（または代替の通信機能）とを含んで構成されている。
【００１５】
図２は、３つの大きなパブリックディスプレイを有する、企業の会議室２０２に導入された、本発明の一実施形態を示す。デジタルペン及びデジタルペーパー２０４を使用し、紙の一部の上にデジタルペンが押圧されると、スクリーンが自動的に起動される。発表者は、デジタルペン及びデジタルペーパーを使用して、プレゼンテーションの進行を制御することが可能である。会議参加者は、どのパブリックディスプレイの上でも、ホワイトボードを起動して走り書きをすることが可能である。ユーザらは、デジタルペンを使用して、グループ討論のために、スクリーンの任意の場所をポイントしたり、そこに書き込みをしたりできる。ユーザらはさらに、デジタルペンとデジタルペーパーとを使用して、その場でのスクリーンのプリントアウトを開始することが可能である。
【００１６】
図３は、会議支援機能を制御する紙インターフェース３０２の一実施形態を示す。会議場所適合部分３０４は、会議場所のレイアウトを表す画像であることが可能であり、この実施形態では、図２の会議室の３つのスクリーンを示している。人は、デジタルペンを使用して会議場所適合部分で描画を行うことにより、会議場所内の機器間の情報フローを制御することが可能である。例えば、人は、紙の、この会議場所適合部分を使用し、紙の上のスクリーンのイメージをタップすることによって、描画したいスクリーンを選択することが可能である。実施形態によっては、ユーザは、ディスプレイの画像からプリンタの画像まで、タイムスタンプされる線を描画することによって、そのストロークがプリント指示であることが解釈され、ディスプレイをプリントアウトすることも可能である。
【００１７】
フリーフォーム描画パッド３０８は、デジタルペーパー上の空白スペースである。会議場所適合部分に行われる描画に応じて、フリーフォーム描画パッド３０８に描画されたものを、その紙のユーザだけが見ることのできるプライベートメモにすることも、一時的なポインティングにすることも、この紙に結合されているパブリックディスプレイに表示可能なパブリックアナウンスメントにすることも可能である。ストロークのタイムスタンプ、および会議場所適合部分のタイムスタンプされた描画に応じて、このパッドに描画されたものを、複数のパブリック層およびプライベート層に分けることが可能である。図７は、１枚のデジタルペーパー７０２を使用して、複数の仮想スクリーン７０４を作成し、制御できる様子を示している。
【００１８】
図３に示された実施形態のユーザ適合部分は、ユーザごとにカスタマイズされたフリーフォーム描画パッド３０８の制御部分である。この部分の目的は、あらかじめ定義されている機能の起動を容易にすることである。ユーザ適合部分には、最小限の数の静的制御ボタン３０６と、ユーザが必要に応じて描画できる、いくつかの動的ボタンとが含まれる。
【００１９】
図４に示された実施形態は、動的ボタン４０４を有するユーザ適合部分４０２を示し、動的ボタン４０４は、連続する閉曲線で囲まれた機能名４０６を書き込むことによって、定義されることが可能である。例えば、図４では表示させるスライドのページ番号を円で囲んで、ページジャンプの動的ボタンを作成するものである。これは、システムが多数の機能を提供する場合に、インターフェースの簡略化に役立つ。実施形態によっては、使用可能なすべての機能が、デジタルペーパーの裏側に印刷されている。デジタルペーパーの裏側も、下層に画像パターンを有することが可能である。使用可能なすべての機能が裏側に印刷されていることは、各ユーザが、裏側の機能を参照して、独自のユーザ適合部分を紙の表側に定義することを可能にする。ユーザは、あまり頻繁に使用しない機能を使用したいときに、裏側を使用して制御コマンドを発行することも可能である。
【００２０】
このシステムのバックエンドの実施形態によっては、サービスコールによって互いに通信することが可能なサービス指向モジュールが含まれる。これらのモジュールは、デジタルペンからのストロークを読み取るペンサービス５０８、ストロークを解析および翻訳するインタープリタ（翻訳機能）サービス５０４、フリーフォーム描画パッドのパブリックな描画を表示するホワイトボードサービス５０２、及び特定のスクリーンとコンピュータとの接続を形成する切り替えサービス５０６を含む。これらのサービスモジュールの間の関係を、図５に示す。実施形態によっては、スライドショーを制御するプレゼンテーションサービスや、プリンタを制御する印刷サービスが含まれる。
【００２１】
システムのフロントエンドは、ペンのストロークを捕らえた後、適切な会議支援機能を起動するために、これらのストロークをバックエンドに送る必要がある。ペンサービスは、デジタルペンに直接接続される部分である。実施形態によっては、ストロークが書き込まれた時点で、それらのストロークが、Ｂｌｕｅｔｏｏｔｈ接続を介してリアルタイムにバックエンドに送信される。ペンサービスは、Ｂｌｕｅｔｏｏｔｈ接続を監視する。実施形態によっては、Ｂｌｕｅｔｏｏｔｈ接続を介してストローク（場合によってはストロークの一部）がコンピュータに到達すると、ペンサービスが、図６に示された、圧力によって作動された機能に従って、ストロークを処理する。図６は、ペン圧力６２０とストローク幅６１８との対比を、一連の８つのフェーズ（６０２〜６１６）に沿って示したものである。ペン圧力が特定の闘値より小さいフェーズ６０２および６０４では、ペンは、このカーブに従いポインタのように動作する。圧力が大きくなってフェーズ６０６で上側の闘値を超えると、各ストロークに幅が割り当てられる。ペン圧力が上側の闘値より上で変化するフェーズ６０８および６１０では、ストローク幅は、ペン圧力に比例する。しかしながら、圧力が上側のレベルより下がっても、ペンはフェーズ６１２で最小幅を維持し、フェーズ６１４で圧力が下側の闘値に達すると、フェーズ６１６でポインタ（ゼロ幅ストローク）モードに戻る。このようにペンの圧力で作動する機能により、ユーザは、紙を介してパブリックディスプレイ上で、ペンを、ポインティングと書き込みとの両方に使用することが可能である。このヒステリシスカーブを適用することにより、単一の圧力の闘値の周辺のジッタによって発生する可視ストロークノイズを減らすことが可能である。最小限のストローク幅を使用することにより、読み取れないストロークを保存することを不要にすることが可能である。フェーズ６０８および６１０における、ペン圧力とストローク幅との比例作用を用いることにより、ペンを使用して、様々な幅の線を描画することが可能である。ペンサービスは、各ストロークに幅情報を付随させた後、翻訳サービス５０４、ホワイトボードサービス５０２、および切り替えサービス５０６を含むすべてのサービス加入者に、ストロークを再分配する。
【００２２】
翻訳サービス５０４は、各ペンからのストロークコマンドを識別するように設計される。この翻訳サービス５０４が受け取るストロークは、最初に、ストロークパーサ（解析機能）によって処理される。ストロークパーサにおける翻訳処理は、１つのストロークの開始点および終了点に基づいて行われる。そのストロークが３つの機能部分のいずれに係わるストロークなのかが解析される。予め記憶された各領域範囲を示す座標をペンで判別した座標と比較することで行うことができる他、パターン１０８に機能部分を特定する情報も併せて重畳してコード化し、その座標がどの機能部分に当たるのかを識別することもできる。そして、紙の会議場所適合部分においてストロークが開始されて終了すると、ストロークは、対応するコマンドに翻訳される。ストロークがフリーフォーム描画パッドで行われた場合、そのストロークは、レコグナイザ（認識機能）を通り、ストロークが、いくつかの予め定義された描画と一致するかどうか、または、動的ボタンの一部として適しているか否かを検査する。より具体的には、レコグナイザが入力ストロークの中から閉曲線を見つけると、レコグナイザは、すべてのストロークを解析し、閉曲線で囲まれたストロークを認識しようとする。それらのストロークが予め定義された文字列を形成する場合には、曲線で囲まれた領域が、動的ボタンと呼ばれる、新しい機能領域としてパーサに登録され、動的ボタンは、後で、予め定義された静的ボタンのように動作する。ストロークが、予め定義された描画と一致した場合、ストロークは、コマンドに翻訳され、対応するモジュールに送られる。実施形態によっては、これらのコマンドは、スライドショー制御コマンド、ホワイトボード支援コマンド、切り替え制御コマンド、及び印刷支援コマンドを含む。予め定義されたコマンドと一致しないストロークは、ユーザが紙を介して伝達したいフリーフォームのメモまたはポインタの移動経路として扱われる。
【００２３】
ホワイトボードサービス５０２は、ユーザのパブリック描画を統合するプラットフォームを提供する。ホワイトボードサービス５０２は、ペンサービスからストロークを受け取り、図５に示された、圧力で作動する機能に従ってパブリック描画を表現する。表現機能のほかに、ホワイトボードの、可視性や印刷先などの特性も、翻訳サービスからのコマンドによって制御されることが可能である。
【００２４】
切り替えサービス５０６は、会議支援機器間の接続を変更できるハードウェア切り替え装置と通信するように設計される。一実施形態では、切り替えサービスは、１つのペンがその充電クレードルから外れたらスクリーンをオンにし、すべてのペンがクレードルにセットされたらスクリーンをオフにするために使用される。一実施形態では、会議室のどのスクリーンにも複数のコンピュータが接続されていて、切り替えサービスは、スクリーンにショーを提示する正しいコンピュータを選択することにも使用される。
【００２５】
その他のサービスとして、プレゼンテーションサービスおよび印刷サービスがある。プレゼンテーションサービスは、順次的／非順次的なスライドめくりを実施する。印刷サービスは、文書を印刷する。
【００２６】
図８は、一実施形態のデジタルペンおよびデジタルペーパーで制御される会議支援機器８０２を示す。
【００２７】
図９は、一実施形態が、会議場所適合部分の各ディスプレイの画像にパレット９０２を埋め込むことができる様子を示しており、パレット９０２によって、１つのストロークで、ディスプレイ選択およびペン色選択を行うことが可能である。
【００２８】
図１０は、一実施形態が、フリーフォームパッドおよび各パブリックディスプレイ１００４の上で、関連付けられた下層にある描画グリッド１００２を使用して、ポインティング、描画、および注釈付けを実施する様子を示している。
【００２９】
会議室へ入るための認証は、デジタルペンおよびデジタルペーパーで実施されることが可能であり、この認証は、通常の文字パスワードの代替である。ユーザは、登録処理の間、特定の絵が与えられ、その上にデジタルペンで署名する。ｘおよびｙ座標、署名の形状、ならびに各ストロークに沿った圧力が、後の認証のために記録される。下層に画像があれば、署名と下層の画像との関係が、認証のための追加特徴としての役割を果たす。ユーザは、認証処理の間、同じ絵を再度与えられ、その上に署名する。ｘおよびｙ座標、ならびに圧力で表される、入力された署名が、登録済み署名と十分よく一致すれば、そのユーザが認証される。このようにして、会議室は、発表者を認識して、その発表者のスライドを自動的に用意することも可能である。システムは、さらなる認証のために、同じ紙の上の通常の手書きを連続的に監視する。
【００３０】
一実施形態の例として、会議中、話者は、会議室２０２内を進み、紙インターフェースのコピーとデジタルペン２０４とを受け取る。会議室８０２内のスクリーンが、自動的にオンになる。プレゼンテーションがロードされた後、話者は、プレゼンテーション中、インターフェース３０６上のボタンをタップしてスライドをめくり、必要に応じてスライドをスクリーンにドラッグする。話者は、いくつかのスライド番号をフリーフォームスケッチ領域３０８に書き込み、それらを丸で囲んで動的ボタン４０４にする。プレゼンテーションの後のほうでは、話者は、それらの動的ボタン４０４をタップしてそれらのスライドに戻る。話者はさらに、いくつかのスライドをプリンタにドラッグして、それらをプリントアウト３０４する。スライドのいくつかについて、聴衆から質問があり、その際、聴衆は、紙インターフェースのコピーを使用して、スライド３０８の上に走り書きをする。質問時間中、話者は、さらなる討論のために、ホワイトボードボタン３０６をタップしてホワイトボードを起動する。プレゼンテーション後、各聴衆は、今後の参照のために紙インターフェース３０２のコピーを１部保存するが、紙インターフェース上の走り書きならびに操作は、既に、デジタル形式で、バックエンドサービスによって保存されている。
【００３１】
一実施形態は、本開示の教示に従ってプログラムされた、従来型の汎用または専用のデジタルコンピュータ、またはマイクロプロセッサを使用して実装されることが可能であり、このことは、コンピュータ技術分野の当業者には自明であろう。本開示の教示に基づく適切なソフトウェアコーディングが、熟練したプログラマによって容易になされることが可能であるが、このことは、ソフトウェア技術分野の当業者には自明であろう。また、本発明は、集積回路を作製することによって、あるいは、従来型の要素回路の適切なネットワークを相互接続することによって実装されることが可能であるが、このことは、当業者には自明であろう。
【００３２】
一実施形態は、本明細書に記載の任意の特徴を実施するようにコンピュータをプログラムするために使用されることが可能な命令が格納された記憶媒体であるコンピュータプログラム製品を含む。記憶媒体として、任意のタイプのディスク（フロッピー（登録商標）ディスク、光ディスク、ＤＶＤ、ＣＤ−ＲＯＭ、マイクロドライブ、光磁気ディスクなど）や、それらのコンピュータ可読媒体のいずれかに格納された命令および／またはデータの保存に好適な媒体またはデバイスであるＲＯＭ、ＲＡＭ、ＥＰＲＯＭ、ＥＥＰＲＯＭ、ＤＲＡＭ、フラッシュメモリがあり、また、これらに限定されない。本発明は、汎用／専用コンピュータまたはマイクロプロセッサのハードウェアを制御し、かつ、コンピュータまたはマイクロプロセッサが本発明の結果を利用して人間のユーザまたは他の機構と対話することを可能にするソフトウェアを含むことが可能である。そのようなソフトウェアとしては、デバイスドライバ、オペレーティングシステム、実行環境／コンテナ、ユーザアプリケーションなどがあり、これらに限定されない。
【００３３】
本発明の実施形態は、本発明のプロセスを実装するコードを提供することを含むことが可能である。この提供することは、何らかの様式でユーザにコードを提供することを含むことが可能である。例えば、この提供することは、コードを含むデジタル信号をユーザに送信すること、コードを物理媒体に収録してユーザに提供すること、または他の任意の、コードを使用可能にする方法を含むことが可能である。
【００３４】
本発明の実施形態は、本発明の実施形態の任意のプロセスを実施するためにコンピュータにおいて実行されることが可能なコードを送信する、コンピュータに実装された方法を含むことが可能である。この送信することは、ネットワーク（インターネットなど）の任意の部分、ワイヤ、大気圏または宇宙を通る伝送、または他の任意のタイプの伝送を含むことが可能である。この送信することは、コードの送信を開始すること、あるいは、任意の地域または国から別の地域または国へコードを通過させることを含むことが可能である。例えば、送信することは、コードを含むデータを以前にアドレス指定してユーザに送信した結果として、ネットワークの一部を介してコードの転送を開始することを含む。ユーザへの送信は、送信元の場所に関係なく、任意の地域または国のユーザによって受信される任意の送信を含むことが可能である。
【００３５】
本発明の実施形態は、本発明の実施形態の任意のプロセスを実施するためにコンピュータにおいて実行されることが可能なコードを含む信号を含むことが可能である。この信号は、ネットワーク（インターネットなど）、ワイヤ、大気圏または宇宙を通って送信されること、または他の任意のタイプの伝送方法で送信されることが可能である。この信号の全体を、同時に搬送する必要はない。この信号は、その送信時間帯にわたって時間的に広がってもよい。この信号は、現在搬送中の内容のスナップショットとして見なされない。
【００３６】
本発明の実施形態の先述の説明は、例示および説明を目的として行われたものである。網羅的であることも、本発明を、開示された厳密な形式に限定することも、意図されていない。当業者であれば、様々な修正および変形形態が自明であろう。例えば、開示された本発明の実施形態において実施されるステップは、別の順序で実施されても良く、特定のステップを省略してもよく、新たなステップを追加してもよい。実施形態は、本発明の原理とその実用的応用とを最もよく説明し、それによって、他の当業者が、本発明の各種実施形態ならびに想定される特定用途に適した各種変形形態を理解することを可能にするために、選択および説明されている。本発明の範囲は、特許請求項およびそれらの均等物によって定義されるものとする。
【図面の簡単な説明】
【００３７】
【図１Ａ】関連技術のデジタルペンであって、そのペンのカメラを使用してデジタルペーパーの上における自身の位置を読み取るデジタルペンを示す図である。
【図１Ｂ】デジタルペンがデジタルペーパーの上における自身の正確な位置を決定することを可能にする関連技術のデジタルペーパーの上の、ドットの不規則な位置付けを示す図である。
【図２】デジタルペンとデジタルペーパーとを使用して会議支援機器を制御することが可能な会議室を示す図である。
【図３】デジタルペーパーに印刷された、会議支援機器を制御する紙インターフェースを示す図である。
【図４】ユーザによってデジタルペーパーの上に描画された動的ボタンを示す図である。
【図５】デジタルペンによって会議支援サービスを編成するシステムアーキテクチャを示す図である。
【図６】ポインタモードと可視ストロークモードとの間のモード遷移に使用される、デジタルペンの圧力で作動する切り替え機能を示す図である。
【図７】複数の仮想ページとして使用される１枚のデジタルペーパーを示す図である。
【図８】一実施形態のデジタルペンおよびデジタルペーパーで制御される会議支援機器を示す図である。
【図９】一実施形態が、１つのストロークで、ディスプレイ選択およびペン色選択を行うことができるように、会議場所適合部分の各ディスプレイのイメージにパレットを埋め込む様子を示す図である。
【図１０】一実施形態が、フリーフォームパッドおよび各パブリックディスプレイの上で、関連付けられた下層にある描画グリッドを使用して、ポインティング、描画、および注釈付けを実施する様子を示す図である。
【図１Ａ】
2008217782.tif 000003
【図１Ｂ】
2008217782.tif 000004
【図５】
2008217782.tif 000005
【図６】
2008217782.tif 000006
【図７】
2008217782.tif 000007
【図２】
2008217782.tif 000008
【図３】
2008217782.tif 000009
【図４】
2008217782.tif 000010
【図８】
2008217782.tif 000011
【図９】
2008217782.tif 000012
【図１０】
2008217782.tif 000013